(57)【要約】      （修正有）【課題】外包装を取外しやすい絆創膏を提供する。【解決手段】絆創膏本体１０２を含み、絆創膏本体に収容空間１０３が形成されるとともに、収容空間にガーゼ１０４が設けられ、絆創膏本体の中段位置には、粘着剤１０６を有するシール箇所１０７が設けられ、シール箇所によって第１粘着テープ１０８と第２粘着テープ１０９が形成され、ガーゼが第１粘着テープと第２粘着テープとの間に位置される。【選択図】図３
0003226028.tif 000002
【実用新案登録請求の範囲】
【請求項１】
絆創膏本体を含み、前記絆創膏本体に収容空間が形成されるとともに、前記収容空間にガーゼが設けられ、
前記絆創膏本体の中段位置には、粘着剤を有するシール箇所が設けられ、前記シール箇所によって第１粘着テープおよび第２粘着テープが形成され、前記ガーゼが前記第１粘着テープと前記第２粘着テープとの間に位置されることを特徴とする、外包装が取外しやすい絆創膏。
【請求項２】
前記第１粘着テープおよび前記第２粘着テープの表面には、それぞれ左矢印と右矢印が設けられ、前記シール箇所が分離されるとき、前記収容空間の第１粘着テープの位置には、前記ガーゼの貼合部分の一部を外部へ露出するための第１開口が形成され、且つ前記ガーゼの貼合部分の他部が前記第１粘着テープの第１収容空間に収容されていることを特徴とする請求項１に記載の、外包装が取外しやすい絆創膏。
【請求項３】
前記第１粘着テープおよび前記第２粘着テープの表面には、それぞれ左矢印と右矢印が設けられ、前記第１粘着テープと前記第２粘着テープが前記シール箇所分離されるとき、前記収容空間の第２粘着テープの位置には、前記ガーゼの貼合部分に相対する前記ガーゼの未貼合部分の一部を外部へ露出するための第２開口が形成され、且つ前記ガーゼの未貼合部分の他部が前記第２粘着テープの第２収容空間に収容されていることを特徴とする請求項１に記載の、外包装が取外しやすい絆創膏。
【考案の詳細な説明】
【技術分野】
【０００１】
本考案は、絆創膏に係わる技術分野に関するものであり、特に、外包装が取外ししやすい絆創膏に関するものである。
【背景技術】
【０００２】
絆創膏（英文：Ａｄｈｅｓｓｉｖｅ  ｂａｎｄａｇｅ）は、携帯しやすく使いやすい医療用品であり、小さな傷の対処によく使用されている。
【０００３】
絆創膏の構成は、小さなシートであるガーゼを含み、このガーゼには、粘着性があるプラスチックシートが付けられている。この粘着性があるプラスチックシートの幅は、前記ガーゼの幅より広いため、この設計により、傷口周りの皮膚を共に覆われるので、菌や埃などが隙間を介して傷口に入り込むことを防止できる。
【０００４】
図１は従来の絆創膏の外観構成を示す一部斜視図である。絆創膏は、絆創膏本体（１）を含み、前記絆創膏本体（１）の上面側に粘着剤（１１）を有するシール箇所（１２）が設けられると共に、第１粘着テープ（１３）と第２粘着テープ（１４）は、前記粘着剤（１１）によって一体に粘着して前記絆創膏本体（１）になり、前記絆創膏本体の中段には、ガーゼ（２）が設けられる。
【０００５】
図２は、従来の絆創膏の実施例が使用される状態を示す参考図である。医療人員や患者は、その絆創膏（１）のガーゼ（２）を使用して傷口とその周りの皮膚を保護しようとする時に、医療人員や患者は、前記シール箇所（１２）を見つけて上方から下方へ力が入れることにより、前記第１粘着テープ（１３）と前記第２粘着テープ（１４）を粘着して構成される前記絆創膏本体（１）を分離でき、そして、前記絆創膏本体（１）の中段に位置する前記ガーゼ（２）を傷口に位置合わせて怪我領域周りの皮膚に貼り合わせる。
【考案の概要】
【考案が解決しようとする課題】
【０００６】
従来の絆創膏本体（１）には、前記シール箇所（１２）の標示が設けられていないため、医療人員や患者は、使用時に前記シール箇所を探さなければならなく、しかも、前記シール箇所（１２）における前記粘着剤（１１）の粘着性が強いため、はがしにくく、つまり、医療人員や患者がそのシール箇所（１２）をはがすとき、指先に必ず粘着剤が残留してしまう。更に、前記第１粘着テープ（１３）と前記第２粘着テープ（１４）とが完全に分離されると、前記ガーゼ（２）を取り出すことができる。
【０００７】
上記の問題に鑑み、本考案者は、その問題を解決するための外包装が取外しやすい絆創膏を提供することを目的とする。
【課題を解決するための手段】
【０００８】
本考案の目的は、外包装が取外しやすい絆創膏を提供するものであり、前記絆創膏は、絆創膏本体を含み、前記絆創膏本体の中段位置にガーゼが設けられ、前記絆創膏本体は、通気性のよいテープが使用することができる。従来の絆創膏本体の上面側にシール箇所が設けられるものと異なり、本考案に係わる絆創膏本体の中段位置に粘着剤があるシール箇所が設けられ、従来のように絆創膏本体におけるシール箇所の表示目印を探す必要がなく、医療人員や患者は、前記第１粘着テープと第２粘着テープの表面における左矢印と右矢印を握って夫々左右へ引っ張ることではがすことができ、シール箇所が構造の弱い部分であるため、絆創膏本体よりはがしやすく、医療人員や患者は、当該シール箇所から第１粘着テープと第２粘着テープを容易に分離できるので、簡単に絆創膏本体のガーゼを取り出すことができる。
【０００９】
本考案に係わる外包装が取外しやすい絆創膏によれば、従来の絆創膏と比較して下記のようなメリットがある。
【００１０】
本考案に関する外包装が取外しやすい絆創膏は、絆創膏のシール箇所の目印を探す必要がなく、医療人員や患者は本考案に関する絆創膏本体における前記シール箇所を握って左右方向へ引っ張ることにより簡単に第１粘着テープと第２粘着テープを容易に分離でき、且つ指先に粘着剤の残留がしない。
【図面の簡単な説明】
【００１１】
【図１】従来の絆創膏の外観構成を示す一部斜視図である。
【図２】従来の絆創膏の実施例が使用される状態を示す参考図である。
【図３】本考案に係わる外包装が取外しやすい絆創膏を示す平面図である。
【図４】図３に示される本考案に係わる外包装が取外しやすい絆創膏の使用状態を示す平面図である。
【考案を実施するための形態】
【００１２】
本考案の目的、形状、構成の特徴とその効果をよく理解できるように、図面と合わせて具体的な実施例について、以下に詳細に説明する。
【００１３】
図３は、本考案に係わる外包装が取外しやすい絆創膏を示す平面図である。外包装が取外しやすい絆創膏（１００）は、絆創膏本体（１０２）を含み、前記絆創膏本体（１０２）は、本考案の技術領域に周知の粘着シート材料からなり、例えばプラスチックフィルムや織物シートからなり、前記絆創膏本体（１０２）の長さは、４ｃｍ〜１８ｃｍであり、前記絆創膏本体（１０２）の幅は、０．５ｃｍ〜１０ｃｍである。前記絆創膏本体（１０２）には、収容空間（１０３）が形成され、前記収容空間（１０３）にガーゼ（１０４）が設けられ、前記絆創膏本体（１０２）の中段位置（１０５）に粘着剤（１０６）を有するシール箇所（１０７）が設けられ、前記シール箇所（１０７）によって第１粘着テープ（１０８）と第２粘着テープ（１０９）が形成され、前記第１粘着テープ（１０８）と前記第２粘着テープ（１０９）は、粘着剤（１０６）を介してプレス成形で前記絆創膏本体（１０２）が製造される。前記第１粘着テープ（１０８）の表面（１０８１）と前記第２粘着テープ（１０９）の表面（１０９１）には、夫々左右方向を標示する左矢印（１０８２）と右矢印（１０９２）が設けられる。
【００１４】
医療人員や患者は、前記絆創膏本体（１０２）のガーゼ（１０４）を使用使用とする時に、前記第１粘着テープ（１０８）の表面（１０８１）と前記第２粘着テープ（１０９）の表面（１０９１）における左矢印（１０８２）と右矢印（１０９２）を握って左右方向へ引っ張る。医療人員や患者は、前記第１粘着テープ（１０８）と第２粘着テープ（１０９）の表面における左矢印（１０８２）と右矢印（１０９２）を握って夫々左右へ引っ張ることではがすことができ、前記シール箇所（１０７）が構造の弱い部分であるため、前記絆創膏本体（１０２）よりはがしやすく、医療人員や患者は、当該シール箇所（１０７）から前記第１粘着テープ（１０８）と前記第２粘着テープ（１０９）を容易に分離できるので、簡単に前記絆創膏本体（１０２）のガーゼ（１０４）を取り出すことができる。
【００１５】
図４は、図３に示される本考案に係わる外包装が取外しやすい絆創膏の使用状態を示す平面図である。前記第１粘着テープ（１０８）と前記第２粘着テープ（１０９）が前記シール箇所（１０７）で分離されるとき、前記収容空間（１０３）の第１粘着テープ（１０８）の位置には、前記ガーゼ（１０４）の貼合部分の一部を外部へ露出するための第１開口（１０８３）が形成され、且つ前記ガーゼ（１０４）の貼合部分の他部が前記第１粘着テープ（１０８）の第１収容空間（１０８５）に収容されている。
【００１６】
前記第１粘着テープ（１０８）と前記第２粘着テープ（１０９）が前記シール箇所（１０７）で分離されるとき、前記収容空間（１０３）の第２粘着テープ（１０９）の位置には、前記ガーゼ（１０４）の貼合部分に相対する前記ガーゼ（１０４）の未貼合部分（シート部）の一部を外部へ露出するための第２開口（１０９３）が形成され、且つ前記ガーゼ（１０４）の未貼合部分の他部（他のシート部）が前記第２粘着テープ（１０９）の第２収容空間（１０９５）に収容されている。
【００１７】
本考案に係わる外包装が取外しやすい絆創膏によれば、従来の絆創膏と比較して下記のようなメリットがある。
【００１８】
本考案に関する外包装が取外しやすい絆創膏は、従来のように絆創膏のシール箇所の目印を探す必要がなく、医療人員や患者は、第１粘着テープと第２粘着テープの表面における左矢印と右矢印を握って夫々左右へ引っ張ることではがすことができ、前記シール箇所が構造の弱い部分であるため、前記絆創膏本体よりはがしやすく、医療人員や患者は、当該シール箇所から前記第１粘着テープと前記第２粘着テープを容易に分離できるので、簡単に前記絆創膏本体のガーゼを取り出すことができる。
【００１９】
上述の説明は、本考案の好適な実施例に対する具体的な説明であるが、これらの実施例は本考案における実用新案登録請求の範囲を限定するものではなく、本考案の要旨に基づいてこれらの実施例の効果と等しい変形や変更して本考案を完成することができ、これらの変形や変更が本考案における実用新案登録請求の範囲に含まれるべきである。
【符号の説明】
【００２０】
１        絆創膏本体
２        ガーゼ
１１      シール箇所
１２      第１粘着テープ
１３      第２粘着テープ
１００    外包装が取外しやすい絆創膏
１０２    絆創膏本体
１０３    収容空間
１０４    ガーゼ
１０５    中段位置
１０６    粘着剤
１０７    シール箇所
１０８            第１粘着テープ
１０８１  表面
１０８２  矢印
１０８３  １開口
１０８５  １収容空間
１０９    第２粘着テープ
１０９１  表面
１０９２  右矢印
１０９３  第２開口
１０９５  第２収容空間
【図１】
0003226028.tif 000003
【図２】
0003226028.tif 000004
【図３】
0003226028.tif 000005
【図４】
0003226028.tif 000006